(57)【要約】      （修正有）【課題】夜間等の暗い環境にて用いられる発光もしくは発光表示方法について、低消費電力であり、かつ、発光部への電気的接続が困難な部分への設置を可能とする方法を提供する。【解決手段】発光もしくは発光表示方法について、表示を行うために外部から観察可能な様に設けた発光表示部位１に蓄光機能を備え、１０〜４７０ｎｍの範囲の波長の一部もしくは全体を含む光を照射するところの発光ダイオード２を光源に用いた光照射手段３を用いて、発光表示部位１の表面（表示面）に向け、この表面から５０ｍｍ以下の距離（接触を含む）を保ちながら光を照射し、光照射手段３と、発光表示部位１表面との相対位置を変動させることによって発光表示部位１の光照射を行った軌跡上に蓄光機能の残光効果による発光状態部位４を生じさせ、この発光状態部位４を観察者に表示する。【選択図】図１
2006003771.tif 000002
【特許請求の範囲】
【請求項１】
発光もしくは発光表示を行うために外部から観察可能な様に設けた
発光表示部位（１）に蓄光機能を備え、１０〜４７０ｎｍの範囲の波長の一部
もしくは全体を含む光を照射するところの発光ダイオード（２）を光源に用いた
光照射手段（３）を用いて、発光表示部位（１）の表面（表示面）に向け、この
表面から50ｍｍ以下の距離（接触を含む）を保ちながら光を照射し、光照射
手段（３）と、発光表示部位（１）表面との相対位置を変動させることによって
発光表示部位（１）の光照射を行った軌跡上に蓄光機能の残光効果による発光
状態部位（４）を生じさせ、この発光状態部位（４）を観察者に表示することを
特徴とする蓄光機能を用いた発光もしくは発光表示方法。
【請求項２】
発光表示部位（１）と光照射手段（３）との相対位置を変動させる時、２次元
方向に相対位置を変動させることによって発光表示部位（１）上に曲線形状を
含む発光状態部位（４）を生じさせることを特徴とする請求項１記載の蓄光機能を
用いた発光もしくは発光表示方法。
【請求項３】
光照射手段（３）と発光表示部位（１）の相対位置について発光表示部位（１）
の表面との相対位置の変動を検知する手段（５）か、もしくはこの変動を引き起こす
要因を検知する手段（６）を備え、この検知出力を用いて相対位置の相対位置
が変動する場合に光照射手段（３）によって光を照射し、相対位置の変動が
無い場合、あるいは変動が停止した場合においては光照射手段（３）による
光の照射を停止もしくは減光する制御を行うことを特徴とする請求項１記載の
蓄光機能を用いた発光もしくは発光表示方法。
【請求項４】
発光表示部位（１）を照らす外部環境からの光（８）の強さを検知する手段（７）を
備え、この検知出力を用いて発光表示部位（１）を照らす外部環境からの光の
影響によって、蓄光機能による残光効果の視認が困難になるレベルの光を
検知した場合には光照射手段（３）の光の照射を停止もしくは減光し、発光
表示部位（１）を照らす外部環境からの光（８）が、蓄光機能による残光効果の
視認が可能な暗さとなったことを検知した場合には、光照射手段（３）による
光の照射を開始する制御を行うことを特徴とする請求項１記載の蓄光機能を
用いた発光もしくは発光表示方法。
【請求項５】
光照射手段（３）が発光表示部位（１）上に一度光を照射して生じさせた
発光状態部位（４）を、この部位の蓄光機能による残光効果が消失するまでの
間に光を再照射し、これを繰り返すことによって発光状態部位（４）の発光輝度を
高く維持することを特徴とする請求項１記載の蓄光機能を用いた発光もしくは
発光表示方法。
【請求項６】
発光表示部位（１）に描くところの蓄光機能の残光効果による線状の発光
状態部位（４）の長さを、光照射手段（３）による発光表示部位（１）への光照射
時間の長さを変えることによって制御することを特徴とする請求項１記載の
蓄光機能を用いた発光もしくは発光表示方法。
【発明の詳細な説明】
【技術分野】
【０００１】
本発明は、夜間等暗い環境で発光表示する蓄光機能を用いた表示方法に
関するものである。
【背景技術】
【０００２】
夜間等の暗い環境にて用いられる発光もしくは発光表示方法について、
従来の方法では、点や線を発光させて表示する場合には発光部分全体が
光源を備えており、消費電力が大きく、発光媒体の厚みが厚くなっていた。
また、発光部に電力を供給するため発光部を外部と電気的に接続する必要が
あった。これらの制約から、発光部を薄く設けたい場合や、発光部を軽量に
したい場合、回転運動等の動きがあることにより電力供給が困難な部位を発光
させたい場合などにおいて不都合があった。
【０００３】
この改善策として、表示部に蓄光機能部位を備え、蓄光材料を効率よく
発光させることが可能な短波長の光を発する光照射手段により表示部に
光を照射しながら、光照射手段と表示部を平行方向に移動させることに
ことによって、発光表示部を発光もしくは発光表示させるものである。
【発明の開示】
【発明が解決しようとする課題】
【０００４】
解決しようとする問題点は、発光もしくは発光表示装置の薄型軽量化、
低消費電力化と、発光部への電気的接続を無くすことである。
【課題を解決するための手段】
【０００５】
発光もしくは発光表示を行う発光表示部位（１）に蓄光機能を備える。
この蓄光機能を用いて意図する様な表示を残光効果により自発光させるため、
以下に述べる手段にて光を照射する。
照射光の拡散と減衰を防ぎ、効率良く発光表示部位を発光せしめるため、
表面から５０ｍｍ以下の距離（接触を含む）に光照射手段（３）を備える。
この距離は５０ｍｍ以下の範囲内で変動してもよいが、一定距離を保てるような
構造を備える方が、発光表示部位に連続線を描いた場合の発光輝度の
ばらつきと光の拡散範囲の変動による線の太さのばらつきを抑えることが出来る。
この光照射手段は蓄光機能材料を効率的に光らせることが可能な短波長
で発光させる。具体的には１０〜４７０ｎｍの範囲の波長の一部もしくは全体を
含む光を照射する。低消費電力化および小型化のため、この光照射手段の
光源には発光ダイオードを用いる。光を照射した状態で光照射手段（３）と、
発光表示部位（１）との相対位置を変動させることによって発光表示部位（１）
上に蓄光機能の残光効果による発光状態部位（４）を生じさせる。
この相対位置の変動を生じさせる方法は、発光表示部位（１）側を移動させても
良く、光照射手段側を移動させても良く、両方を移動させても良い。
また、これらの移動手段には動力を用いても、風、水力等の自然力を
用いても良い。発光状態部位（４）が意図したパターンを描くように発光表示
部位（１）と光照射手段（３）の相互位置を変動せしめるように移動機構の
設計を行うことで、目的とする発光もしくは発光表示を得ることが出来る。
【０００６】
光照射手段（３）と、発光表示部位（１）との相対位置を変動させる時、この
位置変動は１次元の変動に限らない。１次元の相対位置変動では直線だけ
しか描けないが、２次元方向に相対位置を変動させることで曲線形状を含む
縦線、横線、斜め線、円形状等、自在な発光状態部位（４）を線状に生じ
させることが可能となり、これにより多様な発光表示パターンを得ることができる。
【０００７】
消費電力を節約するため、本発明では発光もしくは発光表示のために
必用な光照射手段（３）と発光表示部位（１）の相対位置の変動が無い場合には
光照射手段（３）が照射する光を停止もしくは減光する制御を行うことを考案した。
この制御を行うことで、光照射手段（３）が停止した個所に必用以上に強力に
残光効果を残してしまうことも防ぐことが出来る。この制御を行うため、光照射
手段（３）と発光表示部位（１）の相対位置について発光表示部位（１）の表面と
平行方向の相対位置の変動を検知する手段（６）か、もしくはこの変動を引き
起こす要因を検知する手段（７）を備える。前者（６）は例えばロータリー
エンコーダや、相対位置の変動によって発電する発電機などが考えられる。
後者（７）は例えば、発光表示部位（１）を移動させる手段の駆動電圧や光
照射手段（３）を移動させる手段の駆動電圧などが考えられる。この検知出力を
用いて、位置変動を検知した場合に光照射手段（３）によって光を照射し、
相対位置の変動が無い場合、あるいは変動が停止したことを検知した場合に
おいては光照射手段（３）による光の照射を停止もしくは減光する制御を行う。
この制御は、例えば前述の方法と同様にコンパレータ等のデバイスを用いて、
位置変動を検知し電圧で得られた出力を比較基準電圧と比較し、この出力を
光照射手段の駆動のオン、オフ判定とすることで容易に行うことが出来る。
無論、マイコン制御等他の手段を用いてもよい。
【０００８】
本発明は蓄光機能を用いた発光表示であるため、日中の屋外等では視認が
困難である。このため、暗所や夜間に用いる用途に用途を限定し、本発明
では周囲が明るい環境においては表示を停止する制御を行うことで消費電力
を節約する機能を持たせる。光源を直接表示に使う発光表示装置では従来
より、調光手段を用いて明るい場所では視認が容易な様に輝度を増強する
ものがあるが、これとは逆の考え方である。発光表示部位（１）を照らす外部
環境からの光（８）の強さを検知するための手段（７）を検知に適した場所に
備える。具体的にはＣｄＳ素子等、光の強さを電気的に出力で取り出せる
デバイスを用いる。検知に適した場所とは光照射手段（３）の照射光の影響を
受けず、発光表示を妨げ難い場所を指す。この検知信号を用いて発光表示
部位（１）を照らす外部環境からの光（８）の影響によって、蓄光機能による
残光効果の視認が困難になる強さの光を検知した場合には光照射手段（３）の
光の照射を停止もしくは減光する。また、発光表示部位（１）を照らす外部
環境からの光（８）が、蓄光機能による残光効果の視認が可能な暗さとなった
ことを検知した場合には、光照射手段（３）による光の照射をする制御を行う。
この制御は、例えばコンパレータ等のデバイスを用いて、光の強さを電圧で
得たものと比較基準電圧とを比較し、この出力を光照射手段の駆動の
オン、オフ判定とすることで容易に行うことが出来る。無論、マイコン制御等
他の手段を用いてもよい。
【０００９】
蓄光機能の残光効果により発光する発光状態部位（４）の発光輝度は、図６に
示すように、一時的な光照射では、すぐに弱くなってしまう。これを克服する
ため、以下の方法を用いることで、より明るい発光もしくは発光表示を実現した。
光照射手段（３）が発光表示部位（１）上の一度光を照射した発光状態部位（４）
を、図７に示すようにこの部位の蓄光機能による残光効果が消失するまでの
間に光を再照射する。残光効果は初期の輝度減衰が急峻であるため、
なるべく減衰初期の間に光の再照射を行うと効果が大きく、短時間の間隔で
光を再照射することで発光輝度を大幅に高めることが可能である。例えば
数十秒間隔、出来れば数秒間隔の再照射が効果的である。
この光の再照射を繰り返すことによって発光状態部位（４）の発光輝度を
高いまま維持することが可能となる。
【００１０】
発光状態部位（４）によって点もしくは線もしくは破線を表示したい場合には
光照射手段（３）による光照射時間の長さを変えることによって、発光表示
部位（１）に描くところの蓄光機能の残光効果による線状の発光状態部位（４）の
長さを制御することが出来る。破線を表示した場合には光照射手段（３）と、
発光表示部位（１）との相対位置の変動中に光の照射を点滅させることで
可能であり、点を表示したい場合は相対位置停止時に一度光を照射後、
照射停止した後相対位置を変動させればよい。また、充分強い光であれば、
相対位置変動中に極めて短い時間だけ光を照射すれば点の表示が可能で
ある。  光の照射を停止する手段は、例えば光源の電源を遮断してもよいし、
発光表示部位（１）と光照射手段（３）の間に物理的遮蔽物を入れてもよい。
【発明の効果】
【００１１】
本発明により、夜間等の暗い環境において、表示したい線の長さや点の数に
比例した光源が不要となり、光源の適切な点灯／消灯制御と相まって省電力
かつ薄型の発光もしくは発光表示方法の提供が可能となった。
また、発光部分に直接電力を供給する必用がなく、発光部を外部と電気的に
接続する必要が無い。これらの特徴から、特に往復運動、あるいは回転運動
する物体を発光もしくは発光表示させたいという用途において有効性を発揮
する。
【発明を実施するための最良の形態】
【００１２】
本発明は、看板や表示板といった物への導入以外に、以下の条件を満たす
様な既存のものを発光させて注意を促したい場合などにも応用、導入可能である。
本発明を導入するにあたっては、発光状態部位（４）を発生させるために発光
表示部位（１）表面と、光照射手段（３）との相対位置の変動が必用なことから
導入に適した環境には条件がある。条件のひとつは、主に決まった動きを
行うもの、往復運動もしくは回転運動するものを用いて発光もしくは発光表示
させる用途である。もうひとつは、直線や円といった単純形状の発光表示を
得たい用途である。これらの条件が合う場合、発光もしくは発光表示を行う
ための機構全体がコンパクトに出来る上、光の再照射が容易なためである。
ただし、光の再照射による発光輝度の高輝度維持が不要な場合や、光照射
手段（３）側を移動させて相対位置の変動を行う場合については、これらの
条件に縛られないケースもある。
【実施例１】
【００１３】
図８はループになったベルト状のものを発光表示部位（１）として用いた場合の
実施例である。発光表示装置として専用にこのような機構のものを製作して
本発明を導入する以外に、既存のこのような形状と動きをもつものに導入が
可能である。例えばベルトコンベア、歯車間の力の伝達を行うチェーン、プーリー
間の力の伝達を行うベルト等がある。この実施例では、光照射手段（３）を固定して
いれば発光状態部位（４）は直線状に描かれる。この状態で発光表示部位の
回転が充分速ければ、光の再照射によって発光輝度を高めることが可能である。
曲線を描く場合には光照射手段（３）を上下に動かすことで容易に可能である。
無論発光表示部位（１）側を上下に動かしてもよい。直線のみ描く場合は、
ベルト状の発光表示部位（１）に備える蓄光機能の範囲は光を照射する幅だけ
設ければよい。
【実施例２】
【００１４】
図９は円盤型の回転体を発光表示部位（１）として用いた場合の実施例である。
回転体は円盤型に限らず、リング型、筒型、球型であっても本発明を導入が
可能である。この実施例では光照射手段（３）を固定していれば発光状態
部位（４）は円として描かれる。
【図面の簡単な説明】
【００１５】
【図１】本発明の説明図である。
【図２】発光表示部位と光照射手段の相対位置の2次元変動を示す説明図である。
【図３】発光表示部位と光照射手段の相対位置変動の検知例を示す説明図である。
【図４】発光表示部位と光照射手段の相対位置変動を引き起こす要因の検知例を示す説明図である。
【図５】外部環境からの光の強さを検知する例を示す説明図である。
【図６】光照射を１回のみ行った場合の発光状態部位の発光輝度特性を示すグラフである。
【図７】光照射を繰り返し行った場合の発光状態部位の発光輝度特性を示すグラフである。
【図８】本発明の実施例１
【図９】本発明の実施例２
【符号の説明】
【００１６】
１  発光表示部位
２  発光ダイオード
３  光照射手段
４  発光状態部位
５  光照射手段と発光表示部位の相対位置について発光表示部位の表面と
平行方向の相対位置の変動を検知する手段
６  照射手段と発光表示部位の相対位置について変動を引き起こす要因を
検知する手段
７  発光表示部位を照らす外部環境からの光の強さを検知する手段
８  外部環境からの光
９  光の再照射による上昇輝度
【図１】
2006003771.tif 000003
【図２】
2006003771.tif 000004
【図３】
2006003771.tif 000005
【図４】
2006003771.tif 000006
【図５】
2006003771.tif 000007
【図６】
2006003771.tif 000008
【図７】
2006003771.tif 000009
【図８】
2006003771.tif 000010
【図９】
2006003771.tif 000011
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
発光もしくは発光表示を行うために外部から観察可能な様に設けた発光表示部位
（１）に蓄光機能を備え、１０〜４７０ｎｍの波長範囲の一部もしくは全体を
含む光を照射するところの発光ダイオード（２）を光源に用いた光照射手段（３）
を発光表示部位（１）の表面（表示面）に向けて備え、この表面から50ｍｍ以下
の距離（接触を含む）を保ちながら光を照射し、光照射手段（３）と、発光表示
部位（１）表面との相対位置を変動させることによって発光表示部位（１）の
光照射を行った軌跡上に蓄光機能の残光効果による発光状態部位（４）を生じ
させ、この発光状態部位（４）を観察者に表示することを特徴とする蓄光機能を
用いた発光もしくは発光表示方法。
【請求項２】
光照射手段（３）と発光表示部位（１）の相対位置について発光表示部位（１）の
表面との相対位置の変動を検知する手段（５）か、もしくはこの変動を引き起こす
要因を検知する手段（６）を備え、この検知出力を用いて相対位置の相対位置が
変動する場合に光照射手段（３）によって光を照射し、相対位置の変動が無い
場合、あるいは変動が停止した場合においては光照射手段（３）による光の照射を
停止もしくは減光する制御を行うことを特徴とする請求項１記載の蓄光機能を
用いた発光もしくは発光表示方法。
【請求項３】
発光表示部位（１）に描くところの蓄光機能の残光効果による線状の発光状態部位
（４）の長さを、光照射手段（３）と発光表示部位（１）表面との相対位置が変移
中に光照射手段（３）の明滅動作によって光照射時間の長さを変えることにより
制御することを特徴とする請求項１記載の蓄光機能を用いた発光もしくは発光表示
方法。
【請求項４】
光照射手段（３）が発光表示部位（１）上に一度光を照射して生じさせた発光状態
部位（４）を、この部位の蓄光機能による残光効果が消失するまでの間に光を再
照射し、これを繰り返すことによって発光状態部位（４）の発光輝度を高く維持
することを特徴とする請求項１記載の蓄光機能を用いた発光もしくは発光表示
方法。
【請求項５】
発光表示部位（１）を照らす外部環境からの光（８）の強さを検知する手段（７）
を備え、この検知出力を用いて発光表示部位（１）を照らす外部環境からの光の
影響によって、蓄光機能による残光効果の視認が困難になる一定レベルの光を検知
した場合には光照射手段（３）の光の照射を停止もしくは減光し、発光表示部位
（１）を照らす外部環境からの光（８）が、蓄光機能による残光効果の視認が
可能な暗さとなったことを検知した場合には、光照射手段（３）による光の照射を
行う制御を行うことを特徴とする請求項１記載の蓄光機能を用いた発光もしくは
発光表示方法。
【手続補正２】
【補正対象書類名】明細書
【補正対象項目名】全文
【補正方法】変更
【補正の内容】
【発明の詳細な説明】
【技術分野】
【０００１】
本発明は、夜間等暗い環境で発光表示する蓄光機能を用いた表示方法に関するもの
である。
【背景技術】
【０００２】
夜間等の暗い環境にて用いられる発光もしくは発光表示方法について、従来の方法
では、任意の点や線を発光させて表示する場合には発光部分全体にマトリクス状に
光源を備えており、消費電力が大きく、光源と光源までの配線が面積に比例して
多くなり、重くなっていた。また、発光部に電力を供給するため発光部を外部と電気
的に接続する必要があった。これらの制約から、消費電力を少なくしたい場合や、
発光表示部を軽量にしたい場合、あるいは回転運動等の動きがあることにより電力
供給が困難な部位を発光させたい場合などにおいて不都合があった。これらは特に
比較的大きい面積を発光させる場合において問題となった。
【０００３】
この改善策として、表示部に蓄光機能部位を備え、蓄光材料を効率よく発光させる
ことが可能な短波長の光を発する光照射手段により表示部に光を照射しながら、
光照射手段と表示部の相対位置を移動させることによって、発光表示部を発光
もしくは発光表示させるものである。
【発明の開示】
【発明が解決しようとする課題】
【０００４】
本発明が解決しようとする課題は、従来の発光もしくは発光表示装置のように
表示面積の大きさに伴って消費電力と重さが増えない低消費電力で、軽量、更に
発光部への電気的接続が不要な発光もしくは発光表示方法を提供することである。
【課題を解決するための手段】
【０００５】
発光もしくは発光表示を行う発光表示部位（１）に蓄光機能を備える。この蓄光機能
を用いて意図する様な表示を残光効果により自発光させるため、以下に述べる手段
を用いて光を照射する。照射光の拡散と減衰を防ぎ、効率良く発光表示部位を発光
せしめるため、表面から５０ｍｍ以下の距離（接触を含む）に光照射手段（３）を
備える。この距離は５０ｍｍ以下の範囲内で変動してもよいが、一定距離を保つこと
が出来る構造を備える方が、発光表示部位に連続線を描いた場合の発光輝度のばら
つきと光の拡散範囲の変動による線の太さのばらつきを抑えることが出来る。この
光照射手段は蓄光機能材料を効率的に光らせることが可能な短波長で発光させる。
具体的には、１０〜４７０ｎｍの波長範囲の一部もしくは全体を含む光を照射する。
低消費電力化および小型化のため、この光照射手段の光源には発光ダイオード（２）
を用いる。光を照射した状態で光照射手段（３）と、発光表示部位（１）との相対
位置を変動させることによって発光表示部位（１）上に蓄光機能の残光効果による
発光状態部位（４）を生じさせる。この相対位置の変動を生じさせる方法は、発光
表示部位（１）側を移動させても良く、光照射手段（３）側を移動させても良く、
両方を移動させても良い。また、これらの移動手段には動力を用いても、風、水力等
の自然力を用いても良い。発光状態部位（４）が意図したパターンを描くように発光
表示部位（１）と光照射手段（３）の相互位置を変動せしめるように移動機構の
設計を行うことで、目的とする発光もしくは発光表示を得ることが出来る。
【０００６】
光照射手段（３）と、発光表示部位（１）との相対位置を変動させる時、この位置
変動は１次元の変動に限らない。１次元の相対位置変動では直線だけしか描けない
が、２次元方向に相対位置を変動させることで曲線形状を含む縦線、横線、斜め線、
円形状等、自在な発光状態部位（４）を線状に生じさせることが可能となり、これに
より多様な発光表示パターンを得ることができる。
【０００７】
消費電力を節約するため、本発明では発光もしくは発光表示のために必用な光照
射手段（３）と発光表示部位（１）の相対位置の変動が無い場合には光照射手段
（３）が照射する光を停止もしくは減光する制御を行うことを考案した。この制御を
行うことで、光照射手段（３）が停止した個所に必用以上に強力に残光効果を残して
しまうことも防ぐことが出来る。この制御を行うため、光照射手段（３）と発光表示
部位（１）の相対位置について発光表示部位（１）の表面と平行方向の相対位置の
変動を検知する手段（６）か、もしくはこの変動を引き起こす要因を検知する手段
（７）を備える。前者（６）は例えばロータリーエンコーダや、相対位置の変動に
よって発電する発電機などが考えられる。後者（７）は例えば、発光表示部位（１）
を移動させる手段もしくは光照射手段（３）を移動させる手段の電源スイッチと連動
したスイッチもしくはリレー回路などが考えられる。この検知出力を用いて、位置
変動を検知した場合に光照射手段（３）によって光を照射し、相対位置の変動が無い
場合、あるいは変動が停止したことを検知した場合においては光照射手段（３）に
よる光の照射を停止もしくは減光する制御を行う。
【０００８】
本発明は蓄光機能を用いた発光表示であるため、日中の屋外等では視認が困難で
ある。このため、暗所や夜間に用いる用途に用途を限定し、本発明では周囲が
明るい環境においては表示を停止する制御を行うことで消費電力を節約する機能を
備える。光源を直接表示に使う発光表示装置では、従来、調光手段を用いて明るい
場所では視認が容易な様に輝度を増強するものがあるが、これとは逆の考え方で
ある。発光表示部位（１）を照らす外部環境からの光（８）の強さを検知する
ための手段（７）を検知に適した場所に備える。具体的にはＣｄＳ素子等、光の
強さを電気的に出力で取り出せるデバイスを用いる。検知に適した場所とは
光照射手段（３）の照射光の影響を受けず、発光表示を妨げ難い場所を指す。
この検知信号を用いて発光表示部位（１）を照らす外部環境からの光（８）の
影響によって、蓄光機能による残光効果の視認が困難になる強さの光を検知した
場合には光照射手段（３）の光の照射を停止もしくは減光する。また、発光表示
部位（１）を照らす外部環境からの光（８）が、蓄光機能による残光効果の視認が
可能な暗さとなったことを検知した場合には、光照射手段（３）による光の照射を
する制御を行う。この制御は、例えばコンパレータ等のデバイスを用いて、光の
強さを電圧で得たものと比較基準電圧とを比較し、この出力を光照射手段の駆動の
オン、オフ判定とすることで容易に行うことが出来る。無論、マイコン制御等
他の手段を用いてもよい。
【０００９】
蓄光機能の残光効果により発光する発光状態部位（４）の発光輝度は、図６に示す
ように、一時的な光照射では、すぐに弱くなってしまう。これを克服するため、
以下の方法を用いることで、より明るい発光もしくは発光表示を実現した。光照
射手段（３）が発光表示部位（１）上の一度光を照射した発光状態部位（４）を、
図７に示すようにこの部位の蓄光機能による残光効果が消失するまでの間に光を
再照射する。残光効果は初期の輝度減衰が急峻であるため、なるべく減衰初期の
間に光の再照射を行うと効果が大きく、短時間の間隔で光を再照射することで
発光輝度を大幅に高めることが可能である。例えば数十秒間隔、出来れば数秒
間隔の再照射が効果的である。この光の再照射を繰り返すことによって発光状態
部位（４）の発光輝度を高いまま維持することが可能となる。
【００１０】
発光状態部位（４）によって点もしくは線もしくは破線を表示したい場合には
光照射手段（３）による光照射時間の長さを変えることによって、発光表示
部位（１）に描くところの蓄光機能の残光効果による線状の発光状態部位（４）の
長さを制御することが出来る。破線を表示した場合には光照射手段（３）と、
発光表示部位（１）との相対位置の変動中に光の照射を点滅させることで可能で
あり、点を表示したい場合は相対位置停止時に一度光を照射後、照射停止し、相対
位置を変動させればよい。また、充分強い光であれば、相対位置変動中に極めて
短い時間だけ光を照射すれば点の表示が可能である。光の照射を停止する手段は、
例えば光源の電源を遮断してもよいし、発光表示部位（１）と光照射手段（３）の
間に物理的遮蔽物を入れてもよい。
【発明の効果】
【００１１】
本発明により、夜間等の暗い環境において、表示したい線の長さや点の数に
比例した光源が不要となり、光源の適切な点灯／消灯制御と相まって省電力かつ
軽量な発光もしくは発光表示方法の提供が可能となった。また、発光部分に直接
電力を供給する必用がなく、発光部を外部と電気的に接続する必要が無い。これら
の特徴から、特に往復運動、あるいは回転運動する物体を発光もしくは発光表示
させたいという用途において有効性を発揮する。
【発明を実施するための最良の形態】
【００１２】
本発明は、看板や表示板といった物への導入以外に、以下の条件を満たす様な
既存のものを発光させて注意を促したい場合などにも応用、導入可能である。
本発明を導入するにあたっては、発光状態部位（４）を発生させるために発光
表示部位（１）表面と、光照射手段（３）との相対位置の変動が必用なことから
導入に適した環境には条件がある。条件のひとつは、主に決まった動きを行う
もの、往復運動もしくは回転運動するものを用いて発光もしくは発光表示させる
用途である。もうひとつは、直線や円といった単純形状の発光表示を得たい用途
である。これらの条件が合う場合、発光もしくは発光表示を行うための機構全体が
コンパクトに出来る上、光の再照射が容易なためである。ただし、光の再照射に
よる発光輝度の高輝度維持が不要な場合や、光照射手段（３）側を移動させて
相対位置の変動を行う場合については、これらの条件に縛られないケースもある。
【実施例１】
【００１３】
図８に実施例１を示す。実施例１はループになったベルト状の発光表示部位（１）を
用いた場合の実施例である。発光表示装置として専用にこのような機構のものを製作
して本発明を導入する以外に、既存のこのような形状と動きをもつものに導入が可能
である。例えばベルトコンベア、歯車間の力の伝達を行うチェーン、プーリー間の
力の伝達を行うベルト等がある。この実施例では、光照射手段（３）を固定して
いれば発光状態部位（４）は直線状に描かれる。この状態で発光表示部位の回転が
充分速ければ、直線状の発光状態部位（４）への光の再照射によって発光輝度を
高めることが可能である。曲線を描く場合には光照射手段（３）を発光表示部位
（１）の動きに対して直角方向に動かすことで可能である。もしくは、発光表示部位
（１）側を同様の方向に動かしてもよい。直線のみ描く場合は、ベルト状の発光表示
部位（１）に備える蓄光機能の範囲は光を照射する幅だけ設ければよい。
【実施例２】
【００１４】
図９に実施例２を示す。実施例２は円盤型の回転体を発光表示部位（１）として
用いた場合の実施例である。回転体は円盤型に限らず、リング型、筒型、球型で
あっても本発明を導入が可能である。この実施例では光照射手段（３）を固定して
いれば発光状態部位（４）は円として描かれる。発光表示する円の大きさは発光
表示部位（１）の回転中心から光照射手段（３）までの距離を変えることによって
変更することが出来る。
【実施例３】
【００１５】
図１０に実施例３を示す。実施例３は実施例１と同じくループになったベルト状の
発光表示部位（１）を用いたものであるが、光照射手段（３）を発光表示部位（１）
が動く方向に対して直角に複数備えた点が異なる。これらの光照射手段（３）の点滅
時間を各々制御することによって、描かれる発光状態部位（４）の線分長さを変える
ことが出来、これらが同一面に並んだ結果として図１０に示すように文字や図形を
描くことが可能となり、前述の実施例１、実施例２と比較してより多彩な表示が可能
となる。
【図面の簡単な説明】
【００１６】
【図１】本発明の説明図である。
【図２】発光表示部位と光照射手段の相対位置の2次元変動を示す説明図である。
【図３】発光表示部位と光照射手段の相対位置変動の検知例を示す説明図である。
【図４】発光表示部位と光照射手段の相対位置変動を引き起こす要因の検知例を示す説明図      である。
【図５】外部環境からの光の強さを検知する例を示す説明図である。
【図６】光照射を１回のみ行った場合の発光状態部位の発光輝度特性を示すグラフである。
【図７】光照射を繰り返し行った場合の発光状態部位の発光輝度特性を示すグラフである。
【図８】本発明の実施例１
【図９】本発明の実施例２
【図１０】本発明の実施例３
【符号の説明】
【００１７】
１  発光表示部位
２  発光ダイオード
３  光照射手段
４  発光状態部位
５  光照射手段と発光表示部位の相対位置について発光表示部位の表面と
平行方向の相対位置の変動を検知する手段
６  照射手段と発光表示部位の相対位置について変動を引き起こす要因を検知
する手段
７  発光表示部位を照らす外部環境からの光の強さを検知する手段
８  外部環境からの光
９  光の再照射による上昇輝度
【手続補正３】
【補正対象書類名】図面
【補正対象項目名】図９
【補正方法】変更
【補正の内容】
【図９】
2006003771.tif 000012
【手続補正４】
【補正対象書類名】図面
【補正対象項目名】図１０
【補正方法】追加
【補正の内容】
【図１０】
2006003771.tif 000013